(57)【要約】【課題】外壁パネルを構成する枠部材に遮熱板を簡易に取り付け可能な外壁パネル及び取付部材を提供する。【解決手段】外壁パネル３０は、建物１の外壁を構成する。外壁パネル３０は、枠状に構成された枠部材３３と、可撓性を有し、枠部材３３に取り付けられる取付部材１００と、取付部材１００に固定される遮熱板４０と、を備える。枠部材３３は、断面がコ字形状のフレーム（フレーム３３Ａ、フレーム３３Ｂ）を有する。取付部材１００は、フレームのコ字形状の内面にそれぞれ当接する第１当接部１０１Ａ及び第２当接部１０１Ｂを有し、フレームに差し込まれた状態で固定される差込固定部１０１と、フレームに対して枠部材３３の開口部３３Ｃ側に配され、遮熱板４０を支持する支持部１０２と、を有する。支持部１０２は、枠部材３３の厚み方向において、第１当接部１０１Ａと第２当接部１０１Ｂの間に設けられる。【選択図】図５
2019173495.tif 000002
【特許請求の範囲】
【請求項１】
建物の壁を構成する壁パネルであって、
枠状に構成された枠部材と、
可撓性を有し、前記枠部材に取り付けられる取付部材と、
前記取付部材に固定される遮熱板と、を備え、
前記枠部材は、断面がコ字形状のフレームを有し、
前記取付部材は、
前記フレームのコ字形状の内面にそれぞれ当接する第１当接部及び第２当接部を有し、前記フレームに差し込まれた状態で固定される差込固定部と、
前記フレームに対し前記枠部材の開口部側に配され、前記遮熱板を支持する支持部と、を有し、
前記支持部は、前記枠部材の厚み方向において、前記第１当接部と前記第２当接部の間に設けられることを特徴とする壁パネル。
【請求項２】
前記フレームは、
前記第１当接部と当接する第１壁部と、
前記第２当接部と当接する第２壁部と、
前記第１壁部と前記第２壁部を連結する第３壁部と、を有し、
前記取付部材は、
前記第１当接部と前記支持部を連結する第１連結部と、
前記第２当接部と前記支持部を連結する第２連結部と、を有し、
前記第１連結部及び前記第２連結部は、前記第３壁部と平行に配されることを特徴とする請求項１に記載の壁パネル。
【請求項３】
前記第１連結部は、前記第１当接部から前記支持部に向けて延出する凹状のリブを有することを特徴とする請求項２に記載の壁パネル。
【請求項４】
前記第２連結部は、前記支持部から前記第２当接部に向けて延出する凹状のリブを有することを特徴とする請求項２又は３に記載の壁パネル。
【請求項５】
前記支持部は、前記第１連結部から前記第２連結部に向けて延出する凹状のリブを有することを特徴とする請求項２乃至４のいずれかに記載の壁パネル。
【請求項６】
前記第２当接部は、
前記第２連結部に連結する第１面部と、
前記第１面部と段差部を介して接続する第２面部と、を有し、
前記第２面部は、前記第１面部よりも前記第１当接部に近く、
前記フレームの前記第２壁部は前記第２面部と当接することを特徴とする請求項２乃至５のいずれかに記載の壁パネル。
【請求項７】
前記第１当接部は、先端が前記第２当接部に向けて屈曲した第１屈曲部を有し、
前記第２当接部は、先端が前記第１当接部に向けて屈曲した第２屈曲部を有することを特徴とする請求項１乃至６のいずれかに記載の壁パネル。
【請求項８】
前記差込固定部は、幅方向中央部に形成される切欠部を有することを特徴とする請求項１乃至７のいずれかに記載の壁パネル。
【請求項９】
建物の壁パネルを構成する、断面がコ字形状のフレームを枠状に連結した枠部材に、遮熱板を取り付けるための取付部材であって、
前記フレームの内面にそれぞれ当接する第１当接部及び第２当接部を有し、前記フレームに差し込まれた状態で固定される差込固定部と、
前記フレームに対し前記枠部材の開口部側に配され、前記遮熱板を支持する支持部と、を有し、
前記支持部は、前記枠部材の厚み方向において、前記第１当接部と前記第２当接部の間に設けられることを特徴とする取付部材。
【発明の詳細な説明】
【技術分野】
【０００１】
本発明は、耐火性能を向上可能な壁パネル、及び壁パネルに遮熱板を取り付けるために用いられる取付部材に関する。
【背景技術】
【０００２】
建物の耐火性能を向上させるために、例えば特許文献１に記載されているように、鉄骨柱に耐火被覆材を巻き付けるように配置する構造が知られている。
また、特許文献２に記載されているように、鉄骨梁と外壁パネルとの間に耐火材を配置する構造も知られている。
【先行技術文献】
【特許文献】
【０００３】
【特許文献１】特許第５９５０６８０号公報
【特許文献２】特開２００７−２１１４０４号公報
【発明の概要】
【発明が解決しようとする課題】
【０００４】
しかしながら、建物の梁や柱等の躯体と外壁パネルとが近接して配置されていると、躯体と外壁パネルとの隙間に耐火材を設置することには労力を要する。
そのため、外壁パネルの耐火性能を向上させつつも作業負荷を軽減させることが課題となっている。
【０００５】
本発明は上記の課題に鑑みてなされたものであって、その目的は、壁パネルを構成する枠部材に遮熱板を簡易に取り付け可能な壁パネル及び取付部材を提供することにある。
【課題を解決するための手段】
【０００６】
上記課題は、本発明に係る壁パネルによれば、建物の壁を構成する壁パネルであって、枠状に構成された枠部材と、可撓性を有し、前記枠部材に取り付けられる取付部材と、前記取付部材に固定される遮熱板と、を備え、前記枠部材は、断面がコ字形状のフレームを有し、前記取付部材は、前記フレームのコ字形状の内面にそれぞれ当接する第１当接部及び第２当接部を有し、前記フレームに差し込まれた状態で固定される差込固定部と、前記フレームに対し前記枠部材の開口部側に配され、前記遮熱板を支持する支持部と、を有し、前記支持部は、前記枠部材の厚み方向において、前記第１当接部と前記第２当接部の間に設けられることにより解決される。
上記の壁パネルによれば、壁パネルを構成する枠部材の内側に遮熱板を簡易に取付可能となる。
また、壁パネルの枠部材の開口部において、枠部材の厚み方向の内側に遮熱板が設置されることにより、遮熱板の位置ずれを抑制できる。そのため、上記の壁パネルによれば、枠部材の内側に遮熱板を安定して固定できる。
【０００７】
上記の壁パネルにおいて、前記フレームは、前記第１当接部と当接する第１壁部と、前記第２当接部と当接する第２壁部と、前記第１壁部と前記第２壁部を連結する第３壁部と、を有し、前記取付部材は、前記第１当接部と前記支持部を連結する第１連結部と、前記第２当接部と前記支持部を連結する第２連結部と、を有し、前記第１連結部及び前記第２連結部は、前記第３壁部と平行に配されるとよい。
こうすることで、取付部材の剛性を向上できる。これにより、取付部材の厚み方向に対する耐荷重性を向上させ、遮熱板を安定して支持可能となる。
【０００８】
上記の壁パネルにおいて、前記第１連結部は、前記第１当接部から前記支持部に向けて延出する凹状のリブを有するとよい。
こうすることで、第１連結部の剛性を向上できる。これにより、取付部材の剛性を向上させ、遮熱板の安定した支持が可能となる。
【０００９】
上記の壁パネルにおいて、前記第２連結部は、前記支持部から前記第２当接部に向けて延出する凹状のリブを有するとよい。
こうすることで、第２連結部の剛性を向上できる。これにより、取付部材の剛性を向上させ、遮熱板の安定した支持が可能となる。
【００１０】
上記の壁パネルにおいて、前記支持部は、前記第１連結部から前記第２連結部に向けて延出する凹状のリブを有するとよい。
こうすることで、支持部の剛性を向上できる。これにより、取付部材の剛性を向上させ、遮熱板の安定した支持が可能となる。
【００１１】
上記の壁パネルにおいて、前記第２当接部は、前記第２連結部に連結する第１面部と、前記第１面部と段差部を介して接続する第２面部と、有し、前記第２面部は、前記第１面部よりも前記第１当接部に近く、前記フレームの前記第２壁部は前記第２面部と当接するとよい。
こうすることで、取付部材の段差部によりフレームの枠部材の面内方向への移動を規制できる。これにより、フレームと取付部材との位置ずれを抑制できる。そのため、遮熱板の安定した支持が可能となる。
【００１２】
上記の壁パネルにおいて、前記第１当接部は、先端が前記第２当接部に向けて屈曲した第１屈曲部を有し、前記第２当接部は、先端が前記第１当接部に向けて屈曲した第２屈曲部を有するとよい。
こうすることで、フレームに対して取付部材を差し込みやすくなる。これにより、フレームに対する取付部材の取付の作業性を向上できる。
【００１３】
上記の壁パネルにおいて、前記差込固定部は、幅方向中央部に形成される切欠部を有するとよい。
こうすることで、枠部材に外装材を取り付けるビスを、取付部材の切欠部の位置に打込むことができる。これにより、外装材の取付用のビスにより取付部材を損傷することがないため、取付部材の強度低下を回避できる。
【００１４】
上記課題は、本発明に係る取付部材によれば、建物の壁パネルを構成する、断面がコ字形状のフレームを枠状に連結した枠部材に、遮熱板を取り付けるための取付部材であって、前記フレームの内面にそれぞれ当接する第１当接部及び第２当接部を有し、前記フレームに差し込まれた状態で固定される差込固定部と、前記フレームに対し前記枠部材の開口部側に配され、前記遮熱板を支持する支持部と、を有し、前記支持部は、前記枠部材の厚み方向において、前記第１当接部と前記第２当接部の間に設けられることにより解決される。
上記の取付部材によれば、壁パネルを構成する枠部材の内側に遮熱板を簡易に取付可能となる。
【発明の効果】
【００１５】
本発明によれば、外壁パネルを構成する枠部材に遮熱板を簡易に取り付け可能となる。
【図面の簡単な説明】
【００１６】
【図１】建物の外壁構造を示す図である。
【図２】図１のII-II断面図である。
【図３】図２のIII-III断面図である。
【図４】外壁パネルの枠部材に取付部材を取り付けた状態を示す図である。
【図５】フレームに取付部材を取り付け状態の斜視図である。
【図６】取付部材の正面図である。
【図７】取付部材の上面図である。
【図８】取付部材の側面図である。
【図９】取付部材への遮熱板の固定構造を示す図である。
【図１０】壁側取付部材の正面図である。
【図１１】壁側取付部材の上面図である。
【図１２】壁側取付部材の側面図である。
【図１３】壁側取付部材への遮熱板の固定構造を示す図である。
【図１４】金属フレームに遮熱板を取り付けた状態を示す図である。
【図１５】遮熱板を第１耐火シートにより被覆した状態を示す図である。
【図１６】第１変形例に係る取付部材を示す図である。
【図１７】第２変形例に係る取付部材を示す図である。
【図１８】第３変形例に係る取付部材を示す図である。
【図１９】第４変形例に係る取付部材を示す図である。
【発明を実施するための形態】
【００１７】
以下、図１乃至図１９を参照しながら、本発明の実施の形態（以下、本実施形態）に係る壁パネルとしての外壁パネル３０について説明する。外壁パネル３０には、遮熱板４０を固定するための取付部材１００が設けられ、遮熱板４０を簡易に固定可能となっている。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１８】
＜建物１の外壁構造＞
図１には、本実施形態に係る建物１の外壁構造の概要を示した。建物１は、住宅（戸建住宅や集合住宅）、商業ビル、工業内の建屋、店舗及び施設等のいずれでもよい。また、建物１は、一階建てとしてもよいし、複数階建てとしてもよい。
なお、以下において、「屋内側」、「屋外側」とは、建物１を基準とした屋内側、屋外側を意味する。
【００１９】
図１に示されるように、建物１の外壁構造としては、屋内側に建物１の躯体としての柱１０及び梁２０が設けられ、柱１０及び梁２０に対して屋外側に外壁パネル３０が設けられる。
すなわち、柱１０及び柱１０に接合される梁２０に対して、外壁パネル３０が対向して配置されている。このとき、柱１０に対して、複数の外壁パネル３０が上下、左右に並んで配置されていてもよい。
【００２０】
柱１０は、建物１の躯体を構成する、上下に延出する鋼材である。具体的には、主に柱１０は、角形鋼管により構成され、柱梁接合部１１と、柱梁接合部１１以外の部分である柱一般部１５とを有する。
もちろん柱１０は角形鋼管に限られず、他の形状の部材から構成されてもよい。
【００２１】
柱梁接合部１１は、柱１０において１以上の梁２０が水平方向に接合される部分である。なお、本実施形態において「水平方向」とは、上下方向と垂直な方向であり、屋内と屋外の方向と、上下方向及び屋内と屋外の方向と垂直な方向（ここでは左右方向とする）とを含む。
また、図１においては省略しているが、柱梁接合部１１と梁２０とは、例えば固定用のＬ型金物等を介してボルト等の締結具を用いて互いに固定される。
なお、本実施形態では、柱梁接合部１１は、梁２０のウェブ２０Ａと接合している。そして、柱梁接合部１１は、上下に水平方向に突出したフランジ接合部１２を有し、フランジ接合部１２において梁２０のフランジ２０Ｂと接合している。
【００２２】
柱一般部１５は、柱梁接合部１１から上方又は下方の少なくともいずれかに延出する部分である。換言すれば、柱一般部１５は、柱１０において、梁２０を含む躯体を構成する他の部材が接合していない部分に相当する。
【００２３】
梁２０は、建物１の躯体を構成する水平方向に延出する鋼材であり、建物１の上階の床と下階の天井の少なくともいずれかを支持する。具体的には、梁２０は、Ｈ形鋼であり、上下方向に延出するウェブ２０Ａと、ウェブ２０Ａの上下の端部をそれぞれ構成するフランジ２０Ｂとを有する。
【００２４】
外壁パネル３０は、建物１の外壁を構成する部材である。外壁パネル３０は、厚み方向（屋内から屋外の方向）に複数の層を積層させた積層パネル構造を有する。具体的には、図２に示すように、外壁パネル３０は、基本的な構成として、屋外側から順に仕上材３０Ａ、通気層３０Ｂ、屋外側断熱層３０Ｃ、屋内側断熱層３０Ｄを備える。
【００２５】
仕上材３０Ａは、正面視で略矩形状のボード材（面材）からなる層である。なお、外壁パネル３０において、仕上材３０Ａの上端は、残りの層（屋外側断熱層３０Ｃや屋内側断熱層３０Ｄ）の上端よりも若干下がった位置にある。仕上材３０Ａの下端も、また、残りの層の下端よりも若干下がった位置にある。
【００２６】
通気層３０Ｂは、仕上材３０Ａと屋外側断熱層３０Ｃとの間に設けられた空間である。なお、仕上材３０Ａと屋外側断熱層３０Ｃとの間には、通気層３０Ｂを形成するためのスペーサが介在している。
屋外側断熱層３０Ｃは、断熱材（例えば、高密度グラスウール）のボードによって構成されており、幾分の厚みを有する。
【００２７】
屋内側断熱層３０Ｄは、外壁パネル３０を構成する複数の層のうち、外壁パネル３０の厚み方向において屋内側に位置する断熱層である。すなわち、屋内側断熱層３０Ｄにおいて屋内側に面する面（以下、屋内側断熱層３０Ｄの裏面）は、外壁パネル３０の内面部３１を構成する。
【００２８】
屋内側断熱層３０Ｄは、断熱材（例えば、高性能グラスウール）と、後述する枠部材３３を含み構成される。枠部材３３は、枠部に相当し、正面して略矩形型をなしている。
【００２９】
そして、本実施形態では、外壁パネル３０は、建物１の躯体と対向する部分に応じて耐火性能を向上させるための特別な構成を有している。以下においては、柱１０の柱梁接合部１１周りと、柱一般部１５周りのそれぞれにおける耐火構造について詳細に説明する。
【００３０】
＜柱梁接合部１１周りの耐火構造＞
まず、図２及び図３を参照しながら、柱梁接合部１１周りの耐火構造について説明する。
図２及び図３に示されるように、外壁パネル３０の内面部３１において、柱梁接合部１１と対向する領域には、遮熱板４０が取り付けられる。
さらに、外壁パネル３０の内面部３１には、遮熱板４０を被覆する第１耐火シート５０が取り付けられる。
【００３１】
第１耐火シート５０は、例えば火災時の熱により数十倍に発泡して断熱層を形成するシート状の耐火被覆材である。なお、第１耐火シート５０は発泡時に外壁パネル３０の内面部３１側に所定厚の断熱層を形成可能なものとする。
第１耐火シート５０は、ビス等の締結具を用いて外壁パネル３０に固定されてもよいし、第１耐火シート５０の一面に接着層が形成されている場合には接着層を遮熱板４０に接着させることにより固定してもよい。
なお、外壁パネル３０への遮熱板４０及び第１耐火シート５０の固定構造については後述する。
【００３２】
また、柱梁接合部１１に対しては、第２耐火シート６０が貼付される。具体的には図３に示されるように、柱梁接合部１１のうち、外壁パネル３０に対向するパネル対向面１１Ａと、パネル対向面１１Ａに隣接する左右の側面のうち梁２０のウェブ２０Ａよりも屋外側の側面前方部１１Ｂに対して第２耐火シート６０が貼付される。
【００３３】
第２耐火シート６０は、例えば火災時の熱により数十倍に発泡して断熱層を形成するシート状の耐火被覆材である。なお、第２耐火シート６０は発泡時に柱梁接合部１１側に所定厚の断熱層を形成可能なものとする。
例えば、第２耐火シート６０は、柱梁接合部１１のパネル対向面１１Ａと側面前方部１１Ｂに対して接着させることにより、取り付けることとする。
第１耐火シート５０と第２耐火シート６０には同じ耐火被覆材を用いてもよいし、異なる耐火被覆材を用いてもよい。例えば第１耐火シート５０と第２耐火シート６０に異なる耐火被覆材を用いる場合には、第１耐火シート５０に第２耐火シート６０よりも発泡倍率が大きいものを用いることとしてよい。
【００３４】
以上のように、外壁パネル３０の内面部３１において、柱梁接合部１１と対向する領域に遮熱板４０を配置するとともに、遮熱板４０を第１耐火シート５０で被覆することで外壁パネル３０側の耐火性能を向上させる。更に、柱梁接合部１１において外壁パネル３０に対向する側のパネル対向面１１Ａと側面前方部１１Ｂを第２耐火シート６０で被覆することで、柱梁接合部１１側の耐火性能を向上する。
なお、上記の例では、第１耐火シート５０及び第２耐火シート６０を設けたがこれらを省略しても構わない。
【００３５】
＜外壁パネル３０への遮熱板４０の取り付け構造＞
次に、図４乃至図１５を参照しながら、主に外壁パネル３０を構成する枠部材３３に遮熱板４０を取り付ける構造について説明する。
【００３６】
＜枠部材３３の構成＞
まず、図４に基づき、外壁パネル３０の枠部材３３の構成について説明する。
図４に示されるように、枠部材３３は、枠状に連結され外枠を構成するフレーム３３Ａと、外枠のフレーム３３Ａの中央部に架け渡されるフレーム３３Ｂとを備える。
そして、枠部材３３においてフレーム３３Ａ及びフレーム３３Ｂの内側には開口部３３Ｃが形成される。なお、開口部３３Ｃのうち、枠部材３３を正面から見た場合に左側に形成される方を第１開口部３３Ｃａ、右側に形成される方を第２開口部３３Ｃｂとする。
なお、フレーム３３Ａ及びフレーム３３Ｂはそれぞれ断面がコ字形状の金属板である。そして、第１開口部３３Ｃａにおいては、フレーム３３Ａ及びフレーム３３Ｂのそれぞれのコ字の開口側が内側に向くように配されている。
そして、第２開口部３３Ｃｂにおいては、フレーム３３Ａについてはコ字の開口側が内側に向いているが、フレーム３３Ｂについてはコ字の壁側が内側にくように配されている。
【００３７】
ここで、図４に示す例では、建物１に外壁パネル３０が取り付けられた際に、外壁パネル３０の下部に、柱１０の柱梁接合部１１及び梁２０と対向する対向領域３４が位置する。そして、対向領域３４に遮熱板４０が取り付けられる。
そのため、枠部材３３において、対向領域３４と重なる箇所には、遮熱板４０を固定するための取付部材１００及び壁側取付部材２００が取り付けられる。
具体的には、図４に示されるように、第１開口部３３Ｃａに対しては、対向領域３４のうちで互いに向かい合うフレーム３３Ａとフレーム３３Ｂのそれぞれに対して取付部材１００が設けられる。そして、第２開口部３３Ｃｂに対しては、対向領域３４のうちで互いに向かい合うフレーム３３Ａとフレーム３３Ｂに対して、取付部材１００と壁側取付部材２００がそれぞれ設けられる。
【００３８】
＜取付部材１００＞
以下、図５乃至図９を参照しながら、取付部材１００の構成について説明する。以下では、取付部材１００をフレーム３３Ｂに取り付ける例について説明するが、取付部材１００はフレーム３３Ａに対しても同様に取り付けられる。
図５及び図９に示されるように、取付部材１００はコ字の断面形状をなすフレーム３３Ｂの内面に差し込まれた状態で取り付けられるものである。
【００３９】
ここで、フレーム３３Ｂは、それぞれ平行に設けられる第１壁部３３Ｂａ及び第２壁部３３Ｂｂと、第１壁部３３Ｂａ及び第２壁部３３Ｂｂと連結する第３壁部３３Ｂｃを有する。なお、第１壁部３３Ｂａ及び第２壁部３３Ｂｂと、第３壁部３３Ｂｃとは互いに直交している。
また、外壁パネル３０が建物１に取り付けられた状態においては、第１壁部３３Ｂａは屋内側、第２壁部３３Ｂｂは屋外側に配されることとなる。
【００４０】
そして、取付部材１００は、主要な構成として差込固定部１０１、支持部１０２、第１連結部１０３、第２連結部１０４を有する。
差込固定部１０１は、フレーム３３Ｂの第１壁部３３Ｂａと第２壁部３３Ｂｂの間に差し込まれた状態で固定される部分である。具体的には、差込固定部１０１は、第１壁部３３Ｂａと当接する第１当接部１０１Ａと、第２壁部３３Ｂｂと当接する第２当接部１０１Ｂとを有する。
【００４１】
第１当接部１０１Ａにおいて、第３壁部３３Ｂｃに近い側の先端には第１屈曲部１０１Ａａが形成されている。この第１屈曲部１０１Ａａは、第２当接部１０１Ｂに向けて屈曲している。これにより、取付部材１００をフレーム３３Ｂの内面に取り付ける際に、第１当接部１０１Ａが第１壁部３３Ｂａの内側にガイドされるようになる。
【００４２】
第２当接部１０１Ｂは、段差部１０１Ｂｃを介して接続される第１面部１０１Ｂａと第２面部１０１Ｂｂを有する。
第１面部１０１Ｂａは、フレーム３３Ｂの厚み方向（すなわち第３壁部３３Ｂｃの延出方向）において、第２壁部３３Ｂｂと略同じ位置にある。
そして、第２面部１０１Ｂｂは、第２壁部３３Ｂｂと当接する部分であり、第２壁部３３Ｂｂよりも第１壁部３３Ｂａに近い側に配される。
なお、取付部材１００は、第３壁部３３Ｂｃに向けて押し込まれた場合に、第２壁部３３Ｂｂの端部が第２当接部１０１Ｂの段差部１０１Ｂｃに当接することで、位置が規制される。
また、第２当接部１０１Ｂにおいて、第３壁部３３Ｂｃに近い側の先端には第２屈曲部１０１Ｂｄが形成されている。この第２屈曲部１０１Ｂｄは、第１当接部１０１Ａに向けて屈曲している。これにより、取付部材１００をフレーム３３Ｂの内面に取り付ける際に、第２当接部１０１Ｂが第２壁部３３Ｂｂの内側にガイドされるようになる。
【００４３】
なお、取付部材１００は可撓性を有しており、フレーム３３Ｂの第１壁部３３Ｂａと第２壁部３３Ｂｂの内側に入り込んだ状態では、第１壁部３３Ｂａと第２壁部３３Ｂｂを押し広げるように付勢する。この付勢力により、取付部材１００はフレーム３３Ｂの内側に固定されることとなる。
【００４４】
支持部１０２は、フレーム３３Ｂに対し枠部材３３の開口部３３Ｃ側に配され、遮熱板４０を支持する部分である。
具体的には、支持部１０２は、枠部材３３の厚み方向において、第１当接部１０１Ａと第２当接部１０１Ｂの間に設けられ、第１当接部１０１Ａ及び第２当接部１０１Ｂと略平行に配される。
【００４５】
第１連結部１０３は、第１当接部１０１Ａと支持部１０２とを連結する部分である。具体的には、第１連結部１０３は、第１当接部１０１Ａと支持部１０２に対して直交し、両者を連結する。
【００４６】
第２連結部１０４は、支持部１０２と第２当接部１０１Ｂとを連結する部分である。具体的には、第２連結部１０４は、支持部１０２と第２当接部１０１Ｂに対して直交し、両者を連結する。
また、第２連結部１０４の中心部には、穴１０４Ａが形成されている。このように第２連結部１０４に穴１０４Ａを形成することにより、第２連結部１０４を撓みやすくし、差込固定部１０１をフレーム３３Ｂの内面に差し込み易くすることができる。
なお、取付部材１００において、第１当接部１０１Ａ、第２当接部１０１Ｂ及び支持部１０２はそれぞれ平行に配される。そして、取付部材１００において、第１連結部１０３と第２連結部１０４とは互いに平行に配される。
【００４７】
図５乃至図８に示されるように、取付部材１００の第１当接部１０１Ａから第２当接部１０１Ｂに亘って、フレーム３３Ｂ側に凹んだリブ１０５が形成される。
そして、第２連結部１０４の穴１０４Ａを挟む位置に二つのリブ１０５が形成される。このようにリブ１０５を設けることで、第２連結部１０４の穴１０４Ａの周辺の剛性を高めることができる。
また、リブ１０５を凹状に形成することで、リブ１０５が第１壁部３３Ｂａ及び第２壁部３３Ｂｂと当接することを抑制できる。こうすることで、第１当接部１０１Ａと第１壁部３３Ｂａとの当接及び第２当接部１０１Ｂと第２壁部３３Ｂｂとの当接面積を広くすることができ、取付部材１００がフレーム３３Ｂの内側から脱落することを抑制できる。
【００４８】
また、図７に示されるように、差込固定部１０１の先端側には切欠部１０６が形成される。具体的には、切欠部１０６は、第１当接部１０１Ａと第２当接部１０１Ｂのそれぞれの先端において、取付部材１００の幅方向中央部に形成される。なお、上記の幅方向中央部とは、左右のリブ１０５の間の位置に相当する。
【００４９】
図９に示されるように、第１壁部３３Ｂａの上面に外装材４２を、釘等の固着具４６により取り付ける際に、固着具４６が切欠部１０６を挿通するようにする。こうすることで、固着具４６が取付部材１００に穴を開けることがない。これにより、取付部材１００の剛性低下を抑制できる。
【００５０】
また、図９に示されるように、取付部材１００に対して遮熱板４０を固定する際には、遮熱板４０を取付部材１００の支持部１０２に当接して配置し、遮熱板４０と支持部１０２とを貫通するように釘等の固着具４５を打込む。この際、固着具４５は、左右のリブ１０５の間に打込むようにする。これにより、固着具４５の打込み部周辺の強度低下を抑制できる。
【００５１】
＜壁側取付部材２００＞
次に、図１０乃至図１３を参照しながら、フレーム３３Ｂの第３壁部３３Ｂｃに取り付けられ、遮熱板４０を支持する壁側取付部材２００の構成について説明する。
図１０乃至図１２に示されるように、壁側取付部材２００は、接合部２０１、支持部２０２、屈曲端部２０３、座屈規制部２０４、及び切り起こし部２０５を有する金属部材である。
【００５２】
接合部２０１は、フレーム３３Ｂの第３壁部３３Ｂｃに対して接合される板状部である。具体的には、接合部２０１は、フレーム３３Ｂの延出方向に沿って細長い形状に構成される。
そして、接合部２０１の左右に一対の溶接部２０１Ａが形成される。溶接部２０１Ａは例えば貫通孔であり、この溶接部２０１Ａの箇所で壁側取付部材２００を枠部材３３に対して溶接して接合する。
【００５３】
支持部２０２は、接合部２０１から枠部材３３の第２開口部３３Ｃｂ側に延出し、遮熱板４０を支持する部分である。
具体的には、支持部２０２は、接合部２０１の幅方向の中央から直交する向きに延出している。
そして、支持部２０２の先端には、下方に延出した屈曲端部２０３が形成される。
また、支持部２０２の左右端部には、下方に延出した座屈規制部２０４が形成される。
座屈規制部２０４は、接合部２０１に向けて延出しており、支持部２０２が下方に向けて折れ曲がった場合に、座屈規制部２０４が接合部２０１と当接するようになる。これにより、支持部２０２の座屈が規制され、支持部２０２による遮熱板４０の支持を安定させることができる。
また、接合部２０１において支持部２０２の下方には切り起こし部２０５が形成されており、これにより、接合部２０１の剛性を向上させている。
【００５４】
そして、図１３に示されるように、壁側取付部材２００に対して遮熱板４０を固定する際には、遮熱板４０を壁側取付部材２００の支持部２０２に当接して配置し、遮熱板４０と支持部２０２とを貫通するように釘等の固着具４５を打込む。これにより、遮熱板４０を壁側取付部材２００に固定できる。
【００５５】
＜遮熱板４０の固定＞
図１４に示されるように、遮熱板４０は、一対の取付部材１００に載置された状態で、ビス等の固着具４５により取付部材１００に固定される。
具体的には、第１開口部３３Ｃａと対向領域３４との重なり部分に配される取付部材１００の上に遮熱板４０を配置して、固着具４５により遮熱板４０を取付部材１００に固定する。
また、第２開口部３３Ｃｂと対向領域３４との重なり部分に配される取付部材１００と壁側取付部材２００の上に遮熱板４０を配置して、固着具４５により遮熱板４０を取付部材１００と壁側取付部材２００に固定する。
これにより、外壁パネル３０の対向領域３４の箇所に、遮熱板４０が枠部材３３に対して固定される。
【００５６】
＜第１耐火シート５０の取り付け＞
次に、図１５に示されるように、遮熱板４０を被覆するように、第１耐火シート５０を枠部材３３に対して取り付ける。第１耐火シート５０は、左右の遮熱板４０を被覆し、且つ、枠部材３３の左右の側面に回り込むサイズとする。
そして、第１耐火シート５０を枠部材３３に対してビス等を用いて締結部５１において固定する。また、枠部材３３の左右の側面においても、第１耐火シート５０の端部５０Ａを、ビス等を用いて固定する。
これにより、遮熱板４０及び第１耐火シート５０が取り付けられた枠部材３３が完成する。
【００５７】
なお、遮熱板４０に対する第１耐火シート５０の取り付けは上記の例に限定されない。
例えば、遮熱板４０の上面（すなわち柱１０に対向する側の面）を覆うサイズに形成された第１耐火シート５０を、遮熱板４０の上面を覆うように取り付けることとしてもよい。
また例えば、遮熱板４０の上面を覆い、さらに遮熱板４０の側面（枠部材３３と対向する面）にまで回り込むサイズに形成された第１耐火シート５０を、遮熱板４０の上面及び側面を覆うように取り付けてもよい。
上記の場合において、第１耐火シート５０の遮熱板４０に対する取り付けには、接着剤を用いてもよいし、ビス等の固着具を用いてもよく、特に限定されない。
また、上記の場合においては、遮熱板４０に対して第１耐火シート５０を取り付けた後に、第１耐火シート５０が取り付けられた遮熱板４０を枠部材３３に取り付けることとする。
【００５８】
そして、上記の枠部材３３に対して、仕上材３０Ａ、通気層３０Ｂ、屋外側断熱層３０Ｃ、屋内側断熱層３０Ｄを取り付けることで、遮熱板４０及び第１耐火シート５０を備える外壁パネル３０が完成する。なお、仕上材３０Ａ、通気層３０Ｂ、屋外側断熱層３０Ｃ、屋内側断熱層３０Ｄを取り付ける工程については公知の外壁パネルと同様であるため説明を省略する。
なお、外壁パネル３０に対して第１耐火シート５０を設けないこととしてもよい。この場合には、上記工程において第１耐火シート５０の取付作業を省略すればよい。
【００５９】
＜変形例＞
次に、図１６乃至図１９を参照しながら、取付部材１００の変形例について説明する。
【００６０】
＜第１変形例＞
図１６には、第１変形例に係る取付部材１１０を枠部材３３に取り付けた状態を示した。
図１６に示されるように、取付部材１１０は、差込固定部１１１、連結部１１２、支持部１１３、及び切り起こし部１１４を備える。
【００６１】
差込固定部１１１は、第１壁部３３Ｂａに当接する第１当接部１１１Ａと、第２壁部３３Ｂｂに当接する第２当接部１１１Ｂとを有し、フレーム３３Ｂに差し込まれた状態で固定される。
そして、連結部１１２は、第１当接部１１１Ａと第２当接部１１１Ｂを連結する。
支持部１１３は、差込固定部１１１から枠部材３３の開口部側に延出し、遮熱板４０を支持する。具体的には、支持部１１３は連結部１１２の一部を切り起こすことにより形成される。
そして、遮熱板４０と支持部１１３を貫通するように固着具４５が打ち込まれることで、遮熱板４０が支持部１１３に対して固定される。
また、連結部１１２において第２当接部１１１Ｂに近い側には、切り起こし部１１４が形成される。
【００６２】
＜第２変形例＞
図１７には、第２変形例に係る取付部材１２０を枠部材３３に取り付けた状態を示した。
図１７に示されるように、取付部材１２０は、差込固定部１２１、連結部１２２、支持部１２３を備える。
【００６３】
差込固定部１２１は、第１壁部３３Ｂａに当接する第１当接部１２１Ａと、第２壁部３３Ｂｂに当接する第２当接部１２１Ｂとを有し、フレーム３３Ｂに差し込まれた状態で固定される。
そして、連結部１２２は、第１当接部１２１Ａと第２当接部１２１Ｂを連結する。
支持部１２３は、差込固定部１２１から枠部材３３の開口部側に延出し、遮熱板４０を支持する。具体的には、支持部１２３は、角柱形状の部材であり、連結部１２２に対して、溶接することにより取り付けられる。
支持部１２３の上面は、遮熱板４０を支持する。そして、遮熱板４０と支持部１２３を貫通するように固着具４５が打ち込まれることで、遮熱板４０が支持部１２３に対して固定される。
【００６４】
＜第３変形例＞
図１８には、第３変形例に係る取付部材１３０を枠部材３３に取り付けた状態を示した。
図１８に示されるように、取付部材１３０は、差込固定部１３１、連結部１３２、支持部１３３を備える。
【００６５】
差込固定部１２１は、第１壁部３３Ｂａに当接する第１当接部１３１Ａと、第２壁部３３Ｂｂに当接する第２当接部１３１Ｂとを有し、フレーム３３Ｂに差し込まれた状態で固定される。
そして、連結部１３２は、第１当接部１３１Ａと第２当接部１３１Ｂを連結する。
支持部１３３は、差込固定部１３１から枠部材３３の開口部側に延出し、遮熱板４０を支持する。具体的には、支持部１３３は、連結部１３２のうち第１当接部１３１Ａに隣接する箇所を切り起こすことにより形成される。
支持部１３３の上面は、遮熱板４０を支持する。そして、遮熱板４０と支持部１３３を貫通するように固着具４５が打ち込まれることで、遮熱板４０が支持部１３３に対して固定される。
【００６６】
＜第４変形例＞
図１９には、第４変形例に係る取付部材１４０を枠部材３３に取り付けた状態を示した。
図１９に示されるように、取付部材１４０は、差込固定部１４１、連結部１４２、延出部１４３、支持部１４４を備える。
【００６７】
差込固定部１４１は、第１壁部３３Ｂａに当接する第１当接部１４１Ａと、第２壁部３３Ｂｂに当接する第２当接部１４１Ｂとを有し、フレーム３３Ｂに差し込まれた状態で固定される。
そして、連結部１４２は、第１当接部１４１Ａと第２当接部１４１Ｂを連結する。また、連結部１４２は、第１壁部３３Ｂａと第２壁部３３Ｂｂとの間に配される。
延出部１４３は、第１当接部１４１Ａから第２当接部１４１Ｂに向けて延出する。
そして、支持部１４４は、延出部１４３から枠部材３３の開口部側に延出し、遮熱板４０を支持する。
支持部１４４の上面は、遮熱板４０を支持する。そして、遮熱板４０と支持部１４４を貫通するように固着具４５が打ち込まれることで、遮熱板４０が支持部１４４に対して固定される。
【００６８】
＜まとめ＞
以上説明した本実施形態に係る外壁パネル３０、及び外壁パネル３０に設けられる取付部材１００の主な特徴は以下の通りである。
【００６９】
［１］本実施形態に係る外壁パネル３０は、建物１の外壁を構成する。外壁パネル３０は、枠状に構成された枠部材３３と、可撓性を有し、枠部材３３に取り付けられる取付部材１００と、取付部材１００に固定される遮熱板４０と、を備える。枠部材３３は、断面がコ字形状のフレーム（フレーム３３Ａ、フレーム３３Ｂ）を有する。取付部材１００は、フレームのコ字形状の内面にそれぞれ当接する第１当接部１０１Ａ及び第２当接部１０１Ｂを有し、フレームに差し込まれた状態で固定される差込固定部１０１と、フレームに対して枠部材３３の開口部３３Ｃ側に配され、遮熱板４０を支持する支持部１０２と、を有する。支持部１０２は、枠部材３３の厚み方向において、第１当接部１０１Ａと第２当接部１０１Ｂの間に設けられる。
上記の外壁パネル３０によれば、外壁パネル３０を構成する枠部材３３の内側に遮熱板４０を簡易に取付可能となる。
また、外壁パネル３０の枠部材３３の開口部３３Ｃにおいて、枠部材３３の厚み方向の内側に遮熱板４０が設置されることにより、遮熱板４０の位置ずれを抑制できる。そのため、上記の外壁パネル３０によれば、枠部材３３の内側に遮熱板４０を安定して固定できる。
【００７０】
［２］上記の外壁パネル３０において、フレームは、第１当接部１０１Ａと当接する第１壁部３３Ｂａと、第２当接部１０１Ｂと当接する第２壁部３３Ｂｂと、第１壁部３３Ｂａと第２壁部３３Ｂｂを連結する第３壁部３３Ｂｃと、を有する。取付部材１００は、第１当接部１０１Ａと支持部１０２を連結する第１連結部１０３と、第２当接部１０１Ｂと支持部１０２を連結する第２連結部１０４と、を有し、第１連結部１０３及び第２連結部１０４は、第３壁部３３Ｂｃと平行に配される。
こうすることで、取付部材１００の剛性を向上できる。これにより、取付部材１００の厚み方向に対する耐荷重性を向上させ、遮熱板４０を安定して支持可能となる。
【００７１】
［３］上記の外壁パネル３０において、第１連結部１０３は、第１当接部１０１Ａから支持部１０２に向けて延出する凹状のリブ１０５を有する。
こうすることで、第１連結部１０３の剛性を向上できる。これにより取付部材１００の剛性を向上させ、遮熱板４０の安定した支持が可能となる。
【００７２】
［４］上記の外壁パネル３０において、第２連結部１０４は、支持部１０２から第２当接部１０１Ｂに向けて延出する凹状のリブ１０５を有する。
こうすることで、第２連結部１０４の剛性を向上できる。これにより、取付部材１００の剛性を向上させ、遮熱板４０の安定した支持が可能となる。
【００７３】
［５］上記の外壁パネル３０において、支持部１０２は、第１連結部１０３から第２連結部１０４に向けて延出する凹状のリブ１０５を有する。
こうすることで、支持部１０２の剛性を向上できる。これにより、取付部材１００の剛性を向上させ、遮熱板４０の安定した支持が可能となる。
【００７４】
［６］上記の外壁パネル３０において、第２当接部１０１Ｂは、第２連結部１０４に連結する第１面部１０１Ｂａと、第１面部１０１Ｂａと段差部１０１Ｂｃを介して接続する第２面部１０１Ｂｂと、を有する。第２面部１０１Ｂｂは、第１面部１０１Ｂａよりも第１当接部１０１Ａに近く、フレームの第２壁部３３Ｂｂは第２面部１０１Ｂｂと当接する。
こうすることで、取付部材１００の段差部１０１Ｂｃによりフレームの枠部材３３の面内方向への移動を規制できる。これにより、フレームと取付部材１００との位置ずれを抑制できる。そのため、遮熱板４０の安定した支持が可能となる。
【００７５】
［７］上記の外壁パネル３０において、第１当接部１０１Ａは、先端が第２当接部１０１Ｂに向けて屈曲した第１屈曲部１０１Ａａを有し、第２当接部１０１Ｂは、先端が第１当接部１０１Ａに向けて屈曲した第２屈曲部１０１Ｂｄを有する。
こうすることで、フレームに対して取付部材１００を差し込みやすくなる。これにより、フレームに対する取付部材１００の取付の作業性を向上できる。
【００７６】
［８］上記の外壁パネル３０において、差込固定部１０１は、幅方向中央部に形成される切欠部１０６を有する。
こうすることで、枠部材３３に外装材４２を取り付けるビス等の固着具を、取付部材１００の切欠部１０６の位置に打込むことができる。これにより、外装材４２の取付用の固着具により取付部材１００を損傷することがないため、取付部材１００の強度低下を回避できる。
【００７７】
［９］本実施形態に係る取付部材１００は、建物１の外壁パネル３０を構成する、断面がコ字形状のフレームを枠状に連結した枠部材３３に、遮熱板４０を取り付けるための部材である。取付部材１００は、フレームの内面にそれぞれ当接する第１当接部１０１Ａ及び第２当接部１０１Ｂを有し、フレームに差し込まれた状態で固定される差込固定部１０１と、フレームに対し枠部材３３の開口部３３Ｃ側に配され、遮熱板４０を支持する支持部１０２と、を有する。支持部１０２は、枠部材３３の厚み方向において、第１当接部１０１Ａと第２当接部１０１Ｂの間に設けられる。
上記の取付部材１００によれば、外壁パネル３０を構成する枠部材３３の内側に遮熱板４０を簡易に取付可能となる。
【００７８】
＜その他の実施形態＞
本発明は上記の実施形態に限定されるものではない。
例えば、外壁パネル３０の枠部材３３は、外枠のフレーム３３Ａのみから構成されてもよい。また、外壁パネル３０の枠部材３３は、外枠のフレーム３３Ａと、複数のフレーム３３Ｂとから構成されてもよい。
また、遮熱板４０に対して、両側に複数の取付部材１００（壁側取付部材２００）を設けて遮熱板４０を支持するようにしてもよい。
また、取付部材１００においてリブ１０５の形成する部分は、第１当接部１０１Ａ、第２当接部１０１Ｂ、支持部１０２、第１連結部１０３、第２連結部１０４の一部であってもよい。
また、リブ１０５は１又は３以上形成しても構わない。
また、上記の実施形態では、本発明に係る壁パネルを、外壁を構成する外壁パネル３０に適用した例について説明したが、本発明に係る壁パネルは外壁パネル３０に限られず、建物の内壁を構成する内壁パネルに対しても適用可能である。
【符号の説明】
【００７９】
１  建物
１０  柱
１１  柱梁接合部
１１Ａ  パネル対向面
１１Ｂ  側面前方部
１２  フランジ接合部
１５  柱一般部
１５Ａ  外壁パネル対向面
１５Ｂ  屋内面
１５Ｃ  第１側面
１５Ｄ  第２側面
２０  梁
２０Ａ  ウェブ
２０Ｂ  フランジ
３０  外壁パネル（壁パネル）
３０Ａ  仕上材
３０Ｂ  通気層
３０Ｃ  屋外側断熱層
３０Ｄ  屋内側断熱層
３１  内面部
３３  枠部材
３３Ａ  フレーム
３３Ｂ  フレーム
３３Ｂａ  第１壁部
３３Ｂｂ  第２壁部
３３Ｂｃ  第３壁部
３３Ｃ  開口部
３３Ｃａ  第１開口部
３３Ｃｂ  第２開口部
３４  対向領域
４０  遮熱板
４２  外装材
４５  固着具
４６  固着具
５０  第１耐火シート
５０Ａ  端部
５１  締結部
６０  第２耐火シート
６１  第３耐火シート
７０  耐火被覆材
７０Ａ  端部
８０  連結部材
８１  板状部材
８２  ボルト
１００  取付部材
１０１  差込固定部
１０１Ａ  第１当接部
１０１Ａａ  第１屈曲部
１０１Ｂ  第２当接部
１０１Ｂａ  第１面部
１０１Ｂｂ  第２面部
１０１Ｂｃ  段差部
１０１Ｂｄ  第２屈曲部
１０２  支持部
１０３  第１連結部
１０４  第２連結部
１０４Ａ  穴
１０５  リブ
１０６  切欠部
１１０  取付部材
１１１  差込固定部
１１１Ａ  第１当接部
１１１Ｂ  第２当接部
１１２  連結部
１１３  支持部
１１４  切り起こし部
１２０  取付部材
１２１  差込固定部
１２１Ａ  第１当接部
１２１Ｂ  第２当接部
１２２  連結部
１２３  支持部
１３０  取付部材
１３１  差込固定部
１３１Ａ  第１当接部
１３１Ｂ  第２当接部
１３２  連結部
１３３  支持部
１４０  取付部材
１４１  差込固定部
１４１Ａ  第１当接部
１４１Ｂ  第２当接部
１４２  連結部
１４３  延出部
１４４  支持部
２００  壁側取付部材
２０１  接合部
２０１Ａ  溶接部
２０２  支持部
２０３  屈曲端部
２０４  座屈規制部
２０５  切り起こし部
【図１】
2019173495.tif 000003
【図２】
2019173495.tif 000004
【図３】
2019173495.tif 000005
【図４】
2019173495.tif 000006
【図５】
2019173495.tif 000007
【図６】
2019173495.tif 000008
【図７】
2019173495.tif 000009
【図８】
2019173495.tif 000010
【図９】
2019173495.tif 000011
【図１０】
2019173495.tif 000012
【図１１】
2019173495.tif 000013
【図１２】
2019173495.tif 000014
【図１３】
2019173495.tif 000015
【図１４】
2019173495.tif 000016
【図１５】
2019173495.tif 000017
【図１６】
2019173495.tif 000018
【図１７】
2019173495.tif 000019
【図１８】
2019173495.tif 000020
【図１９】
2019173495.tif 000021